(57)【特許請求の範囲】
【請求項１】
建物における既存梁の下方であって、前記既存梁に連結され互いに離れて配置された一対の既存躯体部間に、補助梁を配置することによって前記既存梁を補強する方法であって、
前記一対の既存躯体部の中間に位置し、かつ、前記既存梁を支持している中間柱と接触しない位置において前記補助梁の上面に沿って延び、幅方向一方側に張り出す支持面を有する既存梁支持具を、前記補助梁に取り付ける工程と、
前記補助梁に前記既存梁支持具が取り付けられた状態で、前記既存梁の幅方向他方側にずれた位置において前記補助梁の両端部を前記一対の既存躯体部に支持させる工程と、
前記補助梁の両端部が前記一対の既存躯体部に支持され、前記既存梁支持具の支持面が前記既存梁の下面に当接または対面した状態で、前記中間柱を前記既存梁から取り除く工程とを備える、梁補強方法。
【請求項２】
前記一対の既存躯体部には、前記補助梁の両端部が仮置きされる、幅方向他方側へ張り出した仮置き位置と、前記補助梁の両端部が本置きされる正規位置とを有する水平面を含む補助梁支持具が予め固定されており、
前記補助梁の両端部を前記一対の既存躯体部に支持させる工程は、前記補助梁の両端部を、前記補助梁支持具の仮置き位置に仮置きすることによって、前記補助梁の両端部を前記一対の既存躯体部に支持させることを含み、
前記補助梁の両端部を、前記仮置き位置から前記正規位置にスライドさせることによって、前記既存梁支持具の支持面が前記既存梁の下面に当接または対面した状態で前記補助梁を前記既存梁の真下に移動させる工程をさらに備える、請求項１に記載の梁補強方法。
【請求項３】
前記中間柱を取り除く工程は、前記補助梁を移動させる工程において移動させられる前記補助梁が前記中間柱を押し出すことによって、前記中間柱を取り除くことを含む、請求項２に記載の梁補強方法。
【請求項４】
前記補助梁の上面側に、前記既存梁支持具の支持面の厚み分だけ切り欠かれた切欠き部を設ける工程をさらに備え、
前記既存梁支持具を前記補助梁に取り付ける工程は、前記補助梁の前記切欠き部に、前記既存梁支持具を取り付けることを含む、請求項１〜３のいずれかに記載の梁補強方法。
【請求項５】
建物における既存梁の下方であって、前記既存梁に連結され互いに離れて配置された一対の既存躯体部間に、前記既存梁を補強するために配置される補助梁であって、
前記一対の既存躯体部の中間に位置し、かつ、前記既存梁を支持している撤去対象の中間柱と接触しない位置において前記補助梁の上面に沿って延び、幅方向一方側に張り出す支持面を有する既存梁支持具を備え、
前記支持面は、前記補助梁が前記既存梁の幅方向他方側にずれた位置において前記補助梁の両端部が前記一対の既存躯体部に支持された状態で、前記既存梁の下面に当接または対面する、補助梁。
【請求項６】
前記既存梁支持具は、前記支持面が形成された第１水平部と、前記第１水平部に連結され、前記補助梁の幅方向他方側の側面に沿って配置される第１垂直部とを有する第１の部材と、
前記補助梁の前記幅方向他方側の側面に沿って配置される第２垂直部と、前記第２垂直部に連結され、前記補助梁の下面に当接される第２水平部とを有する第２の部材とを含み、
前記第１垂直部と前記第２垂直部とは、取外し可能な連結具によって連結されている、請求項５に記載の補助梁。
【請求項７】
前記既存梁支持具は、前記支持面に前記既存梁の荷重が加えられたときに自身の回転を防止するための回転防止手段をさらに含む、請求項５または６に記載の補助梁。
【請求項８】
前記既存梁支持具は、前記補助梁の前記幅方向一方側の側面に当接される第３垂直部と、前記第３垂直部に連結され、前記第１の部材の前記第１水平部の下方に固定された第３水平部とを有する補強部材をさらに含む、請求項６に記載の補助梁。
【請求項９】
建物における既存梁の下方に配置される補助梁に取り付け可能な既存梁支持具であって、
前記補助梁は、前記既存梁に連結され互いに離れて配置された一対の既存躯体部間に、前記既存梁を補強するために配置されるものであり、
前記一対の既存躯体部の中間に位置し、かつ、前記既存梁を支持している撤去対象の中間柱と接触しない位置において前記補助梁の上面に沿って延び、幅方向一方側に張り出す支持面を有し、
前記支持面は、前記補助梁が前記既存梁の幅方向他方側にずれた位置において前記補助梁の両端部が前記一対の既存躯体部に支持された状態で、前記既存梁の下面に当接または対面する、既存梁支持具。
【発明の詳細な説明】
【技術分野】
【０００１】
本発明は、梁補強方法、補助梁、および既存梁支持具に関し、特に、建物における既存梁の下方であって、既存梁に連結され互いに離れて配置された一対の既存躯体部間に、補助梁を配置することによって既存梁を補強する方法、既存梁の補強に用いられる補助梁、および、補助梁に取り付け可能な既存梁支持具に関する。
【背景技術】
【０００２】
既存住宅の間取りを変更する際に、既存梁（中間柱）を撤去することがある。このような場合、その既存柱が支えていた既存梁の下方または側方に補助梁を設置することで、既存梁の剛性を高める補強工事が行われる。補強工事において、補助梁が既存梁の真下に配置される場合、一般的には、既存柱を撤去してから補助梁が取り付けられる。しかし、そのような場合、補助梁が取り付けられるまでの間、その柱が負担していた荷重の全てを既存梁が負担することになるため、短時間であっても危険な状態が存在する。
【０００３】
そこで、従来から、既存柱の撤去作業を安全に行うための技術が提案されている。たとえば特開２００５−２４０４４７号公報（特許文献１）には、既存柱を撤去する際に、既存梁を仮受けするための仮受け治具が用いられることが開示されている。また、特開２０１１−６９７２号公報（特許文献２）には、管柱に作用していた上載荷重を、既存梁、引張材および束材からなる張弦梁で受け替えてから、管柱を撤去することが開示されている。また、特開２００５−１３９６９１号公報（特許文献３）には、中間柱とこの両側の柱との間に添梁を取り付け、既存梁と添梁との接合部分を覆うように補強用帯板状鉄骨梁を取り付けた後で、中間柱の添梁よりも下方の部分を切断撤去することが開示されている。
【先行技術文献】
【特許文献】
【０００４】
【特許文献１】特開２００５−２４０４４７号公報
【特許文献２】特開２０１１−６９７２号公報
【特許文献３】特開２００５−１３９６９１号公報
【発明の概要】
【発明が解決しようとする課題】
【０００５】
上述のような従来の技術によれば、既存柱の撤去作業を安全に行うことができるものの、大掛かりな治具や部材が必要であったり、手間が掛かるという問題があった。
【０００６】
本発明は、上記のような課題を解決するためになされたものであって、その目的は、既存柱の撤去作業を安全かつ容易に行うことのできる梁補強方法、補助梁、および既存梁支持具を提供することである。
【課題を解決するための手段】
【０００７】
この発明のある局面に従う梁補強方法は、建物における既存梁の下方であって、既存梁に連結され互いに離れて配置された一対の既存躯体部間に、補助梁を配置することによって既存梁を補強する方法である。梁補強方法は、補助梁の上面に沿って延び、幅方向一方側に張り出す支持面を有する既存梁支持具を、補助梁に取り付ける工程と、補助梁の両端部を一対の既存躯体部に支持させる工程と、補助梁の両端部が一対の既存躯体部に支持され、既存梁支持具の支持面が既存梁の下面に当接または対面した状態で、一対の既存躯体部の中間に位置し、既存梁を支持していた中間柱を既存梁から取り除く工程とを備える。
【０００８】
好ましくは、一対の既存躯体部には、補助梁の両端部が仮置きされる、幅方向他方側へ張り出した仮置き位置と、補助梁の両端部が本置きされる正規位置とを有する水平面を含む補助梁支持具が予め固定されている。この場合、補助梁の両端部を一対の既存躯体部に支持させる工程は、補助梁の両端部を、補助梁支持具の仮置き位置に仮置きすることによって、補助梁の両端部を一対の既存躯体部に支持させることを含むことが望ましい。また、梁補強方法は、補助梁の両端部を、仮置き位置から正規位置にスライドさせることによって、既存梁支持具の支持面が既存梁の下面に当接または対面した状態で補助梁を既存梁の真下に移動させる工程をさらに備えることが望ましい。
【０００９】
好ましくは、中間柱を取り除く工程は、補助梁を移動させる工程において移動させられる補助梁が中間柱を押し出すことによって、中間柱を取り除くことを含む。
【００１０】
なお、梁補強方法は、補助梁を既存梁の真下に移動させた後に、補助梁から既存梁支持具を取り外す工程をさらに備えてもよい。また、中間柱を既存梁から切り離した後で、既存梁と補助梁とを一体的に連結する工程をさらに備えてもよい。
【００１１】
また、梁補強方法は、補助梁の上面側に、既存梁支持具の支持面の厚み分だけ切り欠かれた切欠き部を設ける工程をさらに備えてもよい。この場合、既存梁支持具を補助梁に取り付ける工程は、補助梁の切欠き部に、既存梁支持具を取り付けることを含むことが望ましい。
【００１２】
この発明の他の局面に従う補助梁は、建物における既存梁の下方であって、既存梁に連結され互いに離れて配置された一対の既存躯体部間に、既存梁を補強するために配置される補助梁であって、補助梁の上面に沿って延び、幅方向一方側に張り出す支持面を有する既存梁支持具を備える。支持面は、補助梁が既存梁の幅方向他方側にずれた位置において補助梁の両端部が一対の既存躯体部に支持された状態で、既存梁の下面に当接または対面する。
【００１３】
好ましくは、既存梁支持具は、第１の部材と第２の部材とを含む。第１の部材は、支持面が形成された第１水平部と、第１水平部に連結され、補助梁の幅方向他方側の側面に沿って配置される第１垂直部とを有する。第２の部材は、補助梁の幅方向他方側の側面に沿って配置される第２垂直部と、第２垂直部に連結され、補助梁の下面に当接される第２水平部とを有する。第１垂直部と第２垂直部とは、取外し可能な連結具によって連結されている。
【００１４】
既存梁支持具は、支持面に既存梁の荷重が加えられたときに自身の回転を防止するための回転防止手段をさらに含んでもよい。
【００１５】
既存梁支持具は、補助梁の幅方向一方側の側面に当接される第３垂直部と、第３垂直部に連結され、第１の部材の第１水平部の下方に固定された第３水平部とを有する補強部材をさらに含んでもよい。
【００１６】
この発明のさらに他の局面に従う既存梁支持具は、建物における既存梁の下方に配置される補助梁に取り付け可能である。補助梁は、既存梁に連結され互いに離れて配置された一対の既存躯体部間に、既存梁を補強するために配置される。既存梁支持具は、補助梁の上面に沿って延び、幅方向一方側に張り出す支持面を有する。支持面は、補助梁が既存梁の幅方向他方側にずれた位置において補助梁の両端部が一対の既存躯体部に支持された状態で、既存梁の下面に当接または対面する。
【発明の効果】
【００１７】
本発明によれば、既存柱の撤去作業を安全かつ容易に行うことができる。
【図面の簡単な説明】
【００１８】
【図１】本発明の実施の形態に係る梁補強構造を模式的に示す正面図である。
【図２】本発明の実施の形態における補助梁支持具が既存柱に固定された状態を示す斜視図である。
【図３】図２に示した補助梁支持具が既存柱に固定された状態を模式的に示す部分上面図である。
【図４】図２に示した補助梁支持具に補助梁が載置される様子を模式的に示す部分正面図である。
【図５】図２に示した補助梁支持具に載置された補助梁が正規位置にスライド移動される様子を模式的に示す部分上面図である。
【図６】本発明の実施の形態において、既存梁支持具を装着した補助梁が仮置きされた状態を示す正面図である。
【図７】本発明の実施の形態において、既存梁支持具を装着した補助梁が仮置きされた状態を示す斜視図である。
【図８】本発明の実施の形態における既存梁支持具の構造例を示す断面図である。
【図９】本発明の実施の形態における既存梁支持具の他の構造例を示す断面図である。
【図１０】本発明の実施の形態における梁補強方法の工程順序を示すフローチャートである。
【図１１】図１０のフローチャートにおける工程Ｐ５の途中状態を模式的に示す上面図である。
【図１２】図１０のフローチャートにおける工程Ｐ５の最終状態を示す斜視図である。
【図１３】本発明の実施の形態の変形例に係る補助梁を部分的に示す正面図である。
【発明を実施するための形態】
【００１９】
本発明の実施の形態について図面を参照しながら詳細に説明する。なお、図中同一または相当部分には同一符号を付してその説明は繰返さない。
【００２０】
本実施の形態では、建物における既存梁の下方に補助梁が配置されることによって、既存梁が補強される。建物は、典型的には木造住宅である。
【００２１】
（梁補強構造の概略について）
はじめに、本実施の形態に係る梁補強構造の概略について説明する。
【００２２】
図１に示されるように、既存住宅には、既存の躯体部として、基礎（図示せず）上に設けられた土台１１と、土台１１上に設置された既存柱１２，１３，１４と、これら既存柱１２，１３，１４に支えられた既存梁１５と、既存梁１５に対して直交する既存梁１６，１７とが含まれているものとする。これらの構造躯体は、たとえば全て、四角柱形状である。
【００２３】
一対の既存柱１２，１３は、既存梁１５の両端部に連結され、既存梁１５を支持している。本実施の形態では、既存梁１５の両端部は、既存柱１２，１３によってそれぞれ間接的に支持されている。より具体的には、既存梁１５の一端側は、既存梁１６に連結されており、その既存梁１６が既存柱１２によって支持されている。同様に、既存梁１５の他端側は、既存梁１７に連結されており、その既存梁１７が既存柱１３によって支持されている。なお、既存梁１５の少なくとも一方側端部は、既存柱１２または１３によって直接的に支持されていてもよい。
【００２４】
本実施の形態に係る梁補強構造では、このような住宅において、一対の既存柱１２，１３間に位置する既存柱１４（以下「中間柱１４」という）が撤去されている。また、既存梁１５の下方に、補助梁２１が配置されている。補助梁２１は、たとえば木材で形成されている。この補助梁２１は、一対の既存柱１２，１３にそれぞれ固定された一対の補助梁支持具３によって、その両端が支持されている。補助梁支持具３は、補助梁２１に対しても固定されている。なお、既存梁１５と補助梁２１とを確実に連結させるためには、図１に示されるように、既存梁１５と補助梁２１とをまたぐ位置に両側方から挟み込む側板２２がさらに設けられることが望ましい。
【００２５】
ここでまず、補助梁支持具３について説明する。本実施の形態では、補助梁支持具３として、たとえば、特願２０１３−１８６９９８９号として出願済の支持具を用いている。図２には、この補助梁支持具３が、一方の既存柱１２に固定された状態が示されている。
【００２６】
図２を参照して、補助梁支持具３は、たとえば略Ｌ字形状を有しており、略水平に配置される板状部（以下「水平板部」という）３１と、水平板部３１に直交するように配置される板状部（以下「垂直板部」という）３２とを含む。取り付け状態において、水平板部３１の奥行方向端部が、垂直板部３２の上端部に連結されている。奥行方向は、既存梁１５の延びる方向（長手方向）に一致する方向を示す。水平面上において奥行方向に直交する方向、すなわち既存梁１６，１７の延びる方向が、図２中矢印Ａ１で示されており、本実施の形態では当該方向を幅方向という。補助梁支持具３は、剛性を有する材料、たとえば鋼材により形成されている。
【００２７】
本実施の形態では、水平板部３１が、既存梁１５の下面から補助梁２１の高さ寸法（図７の「Ｌ２」）以上離れた位置に配置されている。補助梁支持具３における水平板部３１の上面（すなわち水平面）３１０は、補助梁２１の端部が本置きされる正規位置３１１と、補助梁２１の端部が仮置きされる仮置き位置３１２とを有している。正規位置３１１は、水平板部３１の上面３１０の幅方向一方側に設けられ、仮置き位置３１２は、同面３１０の幅方向他方側に設けられている。正規位置３１１の幅は、補助梁２１の幅寸法（図７の「Ｌ１」）と略同一である。仮置き位置３１２の幅は、たとえば、補助梁２１の幅寸法以上である。つまり、補助梁支持具３の上面３１０は、補助梁２１の幅寸法の２倍以上の幅を有している。
【００２８】
本実施の形態では、水平板部３１の正規位置３１１が、既存梁１５の下面に対向するように配置され、仮置き位置３１２が、既存梁１５よりも側方（図１においては正面側）に突出するように配置されている。図３には、補助梁支持具３の水平板部３１のうち仮置き位置３１２の部分のみが、既存梁１５の側方側（幅方向他方側）へ張出された状態が示されている。水平板部３１における、仮置き位置３１２側の幅方向端縁には、仮置き位置３１２からの補助梁２１の転倒を防止するために、上面３１０から立ち上がる立上片３５が設けられていてもよい。なお、補助梁支持具３の上面３１０の幅は、少なくとも補助梁２１の幅寸法よりも大きければよい。つまり、正規位置３１１と仮置き位置３１２とは幅方向において一部重なっていてもよい。
【００２９】
図２を参照して、補助梁支持具３の垂直板部３２における外側面３２０は、既存柱１２の内側面１２０に当接される当接位置３２１と、既存柱１２に当接されない非当接位置３２２とを有している。当接位置３２１は、既存柱１２の内側面１２０と略同一幅である。本実施の形態において、補助梁２１の幅寸法は、既存柱１２，１３の内側面１２０の幅と略同一であってよい。その場合、水平板部３１の正規位置３１１の幅と垂直板部３２の当接位置３２１の幅とは、略同一である。補助梁２１の幅寸法は、既存梁１５の幅寸法（図７の「Ｌ３」）とたとえば略同一であってよい。
【００３０】
水平板部３１には、正規位置３１１側および仮置き位置３１２側の両方に、複数の貫通穴３４が設けられている。垂直板部３２においても、当接位置３２１側および非当接位置３２２側の両方に、複数の貫通穴３４が設けられている。なお、複数の貫通穴３４は、水平板部３１においては正規位置３１１側、垂直板部３２においては当接位置３２１側にのみ設けられていればよい。
【００３１】
このような補助梁支持具３が一対の既存柱１２，１３にそれぞれ固定されている場合、補助梁２１は、次のような順序で所定位置（既存梁１５の下面側）に配置可能である。すなわち、図４に示されるように、まず、作業者は、補助梁２１の長手方向一方側端部を、既存柱１２に固定された補助梁支持具３の仮置き位置３１２に載置する。その後、補助梁２１の長手方向他方側端部を、既存柱１３に固定された補助梁支持具３の仮置き位置３１２に載置する。これにより、補助梁２１の両端部は、既存梁１５の幅方向他方側にずれた位置（上下方向に重ならない位置）において、一対の既存柱１２，１３に支持される。このようにして補助梁２１を仮置きした後で、図５に示すように、補助梁２１を正規位置３１１側に向けてスライド移動させる。これにより、補助梁２１が、既存梁１５に隣接する位置（すなわち、既存梁１５の真下）に配置される。
【００３２】
ただし、このような場合、補助梁２１をスライド移動させる前に、中間柱１４を撤去する必要がある。そのため、中間柱１４を撤去した後、補助梁２１を正規位置３１１に移動させるまでの間、中間柱１４が負担していた荷重の全てを既存梁１５が負担することになる。したがって、短時間であっても、危険な状態が存在する。
【００３３】
そこで、本実施の形態では、補助梁２１の両端部を補助梁支持具３に仮置きした状態で既存梁１５を下方から支持する既存梁支持具が、補助梁２１に取り付けられる。既存梁支持具について、以下に詳細に説明する。
【００３４】
（既存梁支持具の構造例および配置例について）
図６および図７は、それぞれ、本実施の形態において、既存梁支持具５を装着した補助梁２１が、補助梁支持具３に仮置きされた状態を示す正面図および斜視図である。図８は、既存梁支持具５の構造例を示す断面図である。なお、図７では、理解を容易にするために、既存梁１５が部分的に切断された状態が示されている。
【００３５】
図６，７に示されるように、本実施の形態における既存梁支持具５は、補助梁２１の両端部が補助梁支持具３に仮置きされた状態において、既存梁１５を下方から支持する支持面５０を有している。支持面５０は、補助梁２１の上面２１０に沿って延び、幅方向一方側に張り出している。支持面５０が補助梁２１より張り出す方向は、補助梁支持具３が既存柱１２，１３より張り出す方向とは反対の方向である。つまり、補助梁支持具３は、既存柱１２，１３より幅方向他方側に張り出している。
【００３６】
既存梁支持具５は、図８に示されるように、たとえば、各々が略Ｌ字形状を有する２つの支持部材５１，５２を含む。これらの支持部材５１，５２もまた、剛性を有する材料、たとえば鋼材により形成されている。第１の支持部材５１は、支持面５０が形成された水平部５１１と、水平部５１１に連結された垂直部５１２とを有する。水平部５１１の一部が、補助梁２１の上面２１０に載置（当接）される。ここでは、水平部５１１のうち、補助梁２１の上面２１０に載置される部分をベース部５１１ａ、水平部５１１のうち、補助梁２１より幅方向一方側へ張り出した部分を張出部５１１ｂという。支持面５０は、水平部５１１の上面であり、略水平方向に延在している。垂直部５１２は、補助梁２１の幅方向他方側の側面２１１に沿って配置される。なお、図７および図８では、張出部５１１ｂの幅寸法Ｌ４は、既存梁１５の幅寸法Ｌ３と略同一としているが、既存梁１５の幅寸法より小さくてもよい。つまり、補助梁２１が仮置きされた状態で、支持面５０と既存梁１５の下面１５０とが、少なくとも一部、当接（または対面）していればよい。
【００３７】
第２の支持部材５２も同様に、水平部５２２と、水平部５２２に連結された垂直部５２１とを有する。水平部５２２は、補助梁２１の下面２１２に当接される。垂直部５２１は、補助梁２１の幅方向他方側の側面２１１に沿って配置される。垂直部５２１は、少なくとも部分的に、第１の支持部材５１の垂直部５１２と重なっており、これらの垂直部５１２，５２１のうちのいずれか一方（図８では垂直部５１２）が、補助梁２１の側面２１１に当接する。
【００３８】
第１の支持部材５１の垂直部５１２と第２の支持部材５２の垂直部５２１とが重なった部分には、それぞれ複数の貫通穴５１４，５２４が形成されている。これらの貫通穴５１４，５２４に連結具６１が貫通されることによって、第１の支持部材５１と第２の支持部材５２とが連結される。これにより、既存梁支持具５は、補助梁２１の三方を取り囲んだ状態で、補助梁２１に固定される。連結具６１は補助梁２１を突き刺しておらず、容易に取り外し可能である。具体的には、たとえば、貫通穴５１４，５２４は、内周面に螺旋状の溝が形成されたネジ穴であり、連結具６１は、雄ネジである。
【００３９】
垂直部５１２の貫通穴５１４、および、垂直部５２１の貫通穴５２４は、ともに、上下方向に所定間隔（たとえば３０ｍｍ間隔）で設けられている。これにより、様々な規格の補助梁２１に対応することができる。なお、補助梁２１の下面２１２と第２の支持部材５２の水平部５２２との間に多少の隙間が生じる場合には、その隙間にパッキン等を挿入して、補助梁２１が２つの支持部材５１，５２によって上下方向に挟持されるようにしてもよい。
【００４０】
なお、既存梁支持具５によって補助梁２１の三方を取り囲むだけでは、既存梁支持具５は、張出部５１１ｂ上の支持面５０に既存梁１５の荷重が加えられたときに、図８において時計方向に回転してしまう可能性がある。したがって、既存梁支持具５は、回転防止手段をさらに有していることが望ましい。本実施の形態では、たとえば、第２の支持部材５２に、水平部５２２の幅方向他方側の端部より立ち上がる立上部５２３をさらに設けることで、既存梁支持具５の回転を防止することとしている。立上部５２３は、補助梁２１の幅方向一方側の側面２１３に当接することが望ましい。
【００４１】
既存梁支持具５は、第１の支持部材５１の水平部５１１のうち張出部５１１ｂのみで既存梁１５の荷重を支持する。そのため、張出部５１１ｂの下方には、図９に示すような補強部材５３が設けられることが望ましい。補強部材５３は、たとえば、第１の支持部材５１の水平部５１１の張出部５１１ｂの下面に当接される当接部５３１と、補助梁２１の幅方向一方側の側面２１３に当接される当接部５３２と、これらの当接部５３１，５３２に直交する直交部５３３とを含む。第１の支持部材５１の水平部５１１における張出部５１１ｂと当接部５３１とに、連結具６２が貫通されることによって、第１の支持部材５１と補強部材５３とが連結固定される。なお、張出部５１１ｂおよび当接部５３１にも、連結具６２が貫通される貫通穴が予め形成されており、連結具６２も、連結具６１と同様に簡単に取り外し可能であるものとする。
【００４２】
また、図９に示されるように、第１の支持部材５１の張出部５１１ｂの先端部（幅方向一方側端部）には、既存梁１５の下方への差し込みを容易にするために、斜め下方に延びる傾斜部５１３が設けられていてもよい。なお、図９に示す張出部５１１ｂの幅は、図８に示す幅よりも短く形成されている。
【００４３】
（梁補強方法について）
ここで、本実施の形態における既存梁１５の補強方法について説明する。図１０は、本実施の形態における梁補強方法の工程順序を示すフローチャートである。
【００４４】
図１０を参照して、はじめに、補助梁支持具３が、一対の既存柱１２，１３に対しそれぞれ固定される（工程Ｐ１）。本実施の形態では、典型的には、補助梁支持具３の水平板部３１の上面（水平面）３１０が、補助梁２１の高さ寸法と既存梁支持具５の水平部５１１の厚み分とを足し合わせた寸法以上、既存梁１５の下面１５０より下方に配置される。補助梁支持具３は、たとえば、釘やボルトなどの複数の固定具４１（図４）が、垂直板部３２の内側面側から当接位置３２１の貫通穴３４を貫通するように既存柱１２に打ち込まれることによって固定される。このように固定されることで、上記図２および図３に示したように、補助梁支持具３の水平板部３１のうち仮置き位置３１２の部分のみが、既存梁１５の側方側へ張出される。また、補助梁支持具３の垂直板部３２のうち非当接位置３２２の部分のみが、既存柱１２から側方側へ張出される。
【００４５】
次に、補助梁２１に、既存梁支持具５を取り付ける（工程Ｐ２）。既存梁支持具５は、たとえば、補助梁２１の中央部（長手方向両端部以外の部分）であって、補助梁支持具３に補助梁２１を仮置きした場合に中間柱１４と接触しない部分に取り付けられる。既存梁支持具５を取り付ける具体的な手順は、たとえば次の通りである。図７および図８を参照して、まず、補助梁２１の上方側より第１の支持部材５１を被せ、補助梁２１の下方側より第２の支持部材５２を嵌め込む。第１の支持部材５１と第２の支持部材５２との嵌め込み順序は逆でもよい。その後、第２の支持部材５２の水平部５２２が補助梁２１の下面２１２に当接し、かつ、第２の支持部材５２の垂直部５２１が第１の支持部材５１の垂直部５１２に当接した状態で、連結具６１を貫通穴５１４，５２４に嵌入する。これにより、支持部材５１，５２は、互いに連結され、補助梁２１に固定される。なお、図９に示すように、第１の支持部材５１に補強部材５３が設けられる場合には、補強部材５３は、支持部材５１，５２を連結した後に取り付けられてもよいし、第１の支持部材５１を補助梁２１の上方から被せる前に取り付けられてもよい。
【００４６】
次に、各補助梁支持具３の水平板部３１における仮置き位置３１２上に、補助梁２１の端部が仮置きされる（工程Ｐ３）。具体的には、図４に示したように、まず、補助梁２１の長手方向一方側端部が持ち上げられ、既存柱１２に固定された補助梁支持具３の仮置き位置３１２に載置される。その後、補助梁２１の長手方向他方側端部が持ち上げられ、既存柱１３に固定された補助梁支持具３の仮置き位置３１２に載置される。なお、当該工程においては、補助梁２１全体を持ち上げて、補助梁２１の長手方向両端部を同時に補助梁支持具３の仮置き位置３１２に載置してもよい。
【００４７】
補助梁２１が補助梁支持具３上に仮置きされた状態では、図６および図７に示したように、補助梁２１は、既存梁１５よりも側方側（幅方向他方側）に位置しており、既存梁支持具５の張出部５１１ｂ上の支持面５０は、既存梁１５の下面１５０に当接している。なお、補助梁支持具３の設置高さ等によっては、既存梁支持具５の支持面５０が既存梁１５の下面１５０に当接しないことも考えられるが、補助梁２１を仮置きした段階では、支持面５０が、少なくとも近接した位置にて既存梁１５の下面１５０に対面しているだけでもよい。つまり、既存梁支持具５の支持面５０は、中間柱１４の撤去に伴い既存梁１５が撓んだ場合にはじめて、既存梁１５の下面１５０と当接するように配置されていてもよい。
【００４８】
本実施の形態では、この段階で、既存梁１５および土台１１に係合されていた中間柱１４の上下端のホゾ（突起部）１４０を切り、中間柱１４本体を既存梁１５および土台１１から切り離す（工程Ｐ４）。これにより、中間柱１４と構造躯体との縁が切られる。なお、中間柱１４のホゾ１４０が切られただけでは中間柱１４は倒れないため、既存梁１５の荷重は中間柱１４によって支持されたままである。
【００４９】
その後、仮置きされた補助梁２１を、補助梁支持具３の正規位置３１１側に向けてスライド移動させながら、中間柱１４を取り除く（工程Ｐ５）。当該工程については、図１１を参照して具体的に説明する。図１１（Ａ）には、補助梁２１が補助梁支持具３に仮置きされ、上記工程Ｐ４において中間柱１４の上下端のホゾが切られた状態が、模式的に示されている。この状態で、作業者は、補助梁２１の側面２１１を叩くなどして、補助梁２１を既存梁１５に隣接する位置（すなわち、既存梁１５の真下）に移動させる。
【００５０】
このとき、図１１（Ｂ）に示されるように、既に構造躯体との縁が切られた中間柱１４は、補助梁２１によって、補助梁２１の移動方向に徐々に押し出される。そのため、本実施の形態では、補助梁２１が正規位置３１１へ近づくにつれて、既存梁１５の荷重が、補助梁２１に取り付けられた既存梁支持具５の支持面５０に徐々に加えられることになる。本工程において補助梁２１が正規位置３１１に移動された状態が、図１２に示されている。この状態では、既存梁支持具５のベース部５１１ａ上の支持面５０が既存梁１５の下面１５０に当接している。
【００５１】
既存梁１５の真下に補助梁２１が配置されると、補助梁２１から既存梁支持具５を取り外す（工程Ｐ６）。具体的には、既存梁支持具５を固定していた連結具６１を抜き取り、第１の支持部材５１と第２の支持部材５２とを分解することによって、既存梁支持具５を補助梁２１から取り外す。
【００５２】
その後、補助梁２１と補助梁支持具３とが固定される（工程Ｐ７）。より具体的には、複数の固定具（図示せず）が、補助梁支持具３の水平板部３１の下面側から正規位置３１１の貫通穴３４を貫通するように、補助梁２１の下面端部に打ち込まれる。
【００５３】
また、既存梁１５および補助梁２１の両側面に、側板２２を取り付ける（工程Ｐ８）。つまり、側板２２は、既存梁１５と補助梁２１とを一体的に連結するために、既存梁１５と補助梁２１とをまたぐように貼り付けられる。側板２２の梁１５，２１への取り付けは、公知の手法により行われてよい。本実施の形態では、少なくとも既存梁支持具５を取り付けていた箇所に、既存梁支持具５の水平部５１１の厚み分、補助梁２１の上面２１０と既存梁１５の下面１５０との間に隙間が生じ得るが、側板２２が取り付けられることによって、既存梁１５と補助梁２１とを確実に一体化することができる。
【００５４】
なお、本実施の形態では、既存梁１５および補助梁２１の両側面に側板２２を取り付けることとしたが、一方の側面にのみ側板２２が取り付けられてもよい。あるいは、側板２２を用いなくても、既存梁１５と補助梁２１との隙間をパッキン等によって埋めることによって両者を一体的に連結してもよい。あるいは、工程Ｐ７において補助梁２１を固定する前に、補助梁２１の両端部を持ち上げて、補助梁支持具３の上面３１０と補助梁２１の下面との間に、パッキン等を挿入した状態で、補助梁２１と補助梁支持具３とを固定してもよい。
【００５５】
また、補助梁２１から既存梁支持具５を取り外すタイミングは、補助梁２１を正規位置３１１に移動させた直後としたが、限定的ではない。たとえば、既存梁支持具５は、補助梁２１と既存梁１５とを一体的に連結する工程（Ｐ８）の後に取り外されてもよい。この場合、側板２２によって両者を連結する場合には、既存梁支持具５に干渉しない位置に側板２２を取り付ければよい。このように、既存梁支持具５以外の箇所においても既存梁１５の荷重を支持できる状態としてから既存梁支持具５を取り外す場合、より安全に既存梁支持具５を取り外すこともできる。
【００５６】
上述のように、本実施の形態によると、補助梁支持具３の上面３１０に仮置き位置３１２が存在するため、先に補助梁支持具３を既存柱１２，１３に固定しておくことで、補助梁２１を取り付け高さに仮置きすることができる。したがって、補助梁支持具３は、補助梁２１用の仮受け治具としても機能するため、少人数の作業者でも安全に補助梁２１の設置を行うことができる。
【００５７】
また、上述の梁補強方法によれば、補助梁２１の両端部が仮置き位置３１２にて一対の既存柱１２，１３に支持された状態で、補助梁２１に装着された既存梁支持具５の支持面５０が既存梁１５の下面１５０に当接または対面される。したがって、補助梁２１の正規位置への移動途中に中間柱１４が既存梁１５を支持できなくなったとしても、既存梁支持具５を備えた補助梁２１によって既存梁１５を補強することができる。その結果、構造的に不安定な瞬間を作ることなく補強作業を行うことができる。なお、既存梁支持具５を備えた補助梁２１を補助梁ユニットとして提供してもよい。これにより、既存梁１５の補強をより容易に行うことができる。
【００５８】
本実施の形態における既存梁支持具５は、主に、簡易な構成の２つの支持部材５１，５２によって構成されており、補助梁２１への脱着も簡単である。したがって、作業者の手間を軽減し、補強作業を効率良く行うことができる。また、既存梁支持具５を使い回すことができるため、補強工事のコストを抑えることもできる。
【００５９】
（変形例）
本実施の形態では、既存梁支持具５の水平部５１１の厚み分、既存梁１５と補助梁２１との間に隙間が空くため、側板２２の貼り付けや、隙間を埋める作業が必要であった。しかし、図１０の工程Ｐ２において補助梁２１に既存梁支持具５を取り付ける前に、補助梁２１に、既存梁支持具５の水平部５１１の厚み分、切欠きを設ける工程をさらに追加してもよい。この場合の補助梁２１の例が図１３に示されている。図１３は、本発明の実施の形態の変形例に係る補助梁２１を模式的に示す図である。
【００６０】
図１３（Ａ）に示されるように、補助梁２１の上面２１０側には、既存梁支持具５の厚み分の深さを有する切欠き部２１０ａが設けられている。この場合、図１０の工程Ｐ２において、図１３（Ｂ）に示されるように、切欠き部２１０ａ内に、既存梁支持具５を取り付ける。そうすると、既存梁支持具５の支持面５０と補助梁２１の上面２１０とはフラットな状態となる。既存梁支持具５がこのように装着されると、補助梁２１が正規位置３１１に移動された場合に、既存梁支持具５の支持面５０のみが既存梁１５の下面１５０に当接しているのではなく、補助梁２１の上面２１０も既存梁１５の下面１５０に当接した状態となる。したがって、補助梁２１を正規位置３１１に移動した後の既存梁１５の荷重は、補助梁２１の上面２１０においても受けているため、既存梁支持具５の取り外しを容易にすることができる。また、この場合、既存梁１５と補助梁２１とを一体的に連結するための連結部材（たとえば側板２２）を設けなくてもよい。
【００６１】
（他の変形例）
本実施の形態では、補助梁２１の移動に伴って中間柱１４が取り除かれる。そのため、図１０の工程Ｐ３において補助梁２１が仮置きされた段階では、既存梁支持具５の支持面５０は、既存梁１５の下面１５０に当接または対面していなくてもよい。具体的には、たとえば、補助梁支持具３の仮置き位置３１２の幅が、補助梁２１の幅寸法よりも大きく、補助梁２１が、仮置き位置３１２の端に位置しているような場合には、既存梁支持具５の支持面５０は、既存梁１５の下面１５０に当接または対面していなくてもよい。すなわち、既存梁支持具５の支持面５０は、補助梁２１が既存梁１５の真下（正規位置３１１）から幅方向他方側にずれた位置（上下方向に重ならない位置）にある場合に、既存梁１５の下面１５０と当接または対面するように、補助梁２１よりも幅方向一方側に少しでも張り出していればよい。
【００６２】
また、本実施の形態では、補助梁２１を正規位置３１１に移動した後、既存梁支持具５を取り外すこととした。しかし、補強工事後に、補助梁２１が天井によって隠される場合などにおいては、既存梁支持具５を補助梁２１に取り付けたままとしてもよい。
【００６３】
また、本実施の形態では、既存梁支持具５は、取り外しを容易にするために２つの支持部材５１，５２を含むこととしたが、上記のように特に取り外しを意図しない場合には、第２の支持部材５２を含まなくてもよい。その場合、図８に示した簡単に取り外し可能な連結具６１に代えて、釘やボルトなどの固定具や接着剤など簡単に取り外しができない接合部材が用いられてもよい。たとえば釘部材を用いる場合には、釘部材が、第１の支持部材５１の垂直部５１２の貫通穴５２４を貫通して補助梁２１の側面２１１に打ち込まれることによって、既存梁支持具５が補助梁２１に固定されてもよい。または、第１の支持部材５１の水平部５１１におけるベース部５１１ａと補助梁２１の上面２１０とが釘部材によって固定されてもよい。後者の場合、第１の支持部材５１は、垂直部５１２を含まず、水平部５１１のみによって構成されてもよい。なお、いずれの場合においても、水平部５１１における張出部５１１ｂを補強するための補強部材５３が設けられることが望ましい。
【００６４】
また、本実施の形態では、補助梁２１が既存梁１５の真下に、両者が上下方向に完全に重なった状態で固定されることとしたが、上下方向において少なくとも一部が重なっていれば、これらは完全に重なっていなくてもよい。つまり、補助梁２１は、既存梁１５の幅方向一方側または他方側に、はみ出した状態で固定されてもよい。
【００６５】
また、本実施の形態では、既存柱１２，１３に略Ｌ字形状の補助梁支持具３を固定することとしたが、補助梁支持具３は、正規位置３１１と仮置き位置３１２とを含む水平面３１０を有していれば、形状や材質は特に限定されない。
【００６６】
また、本実施の形態では、補助梁２１の移動に伴って中間柱１４が取り除かれることとしたが、補助梁２１を移動させる前に（すなわち図１０の工程Ｐ４において）、中間柱１４を完全に取り除いておいてもよい。中間柱１４が取り除かれると、それまで中間柱１４が支持していた既存梁１５の荷重が、既存梁支持具５の支持面５０に加えられる。この場合、補助梁２１は、既存梁支持具５の支持面５０により既存梁１５の支持状態が保たれたまま、移動させられる。
【００６７】
また、この場合、中間柱１４は、補助梁２１と既存梁１５とが上下方向に一部重なった状態で撤去されてもよい。その場合、たとえば、中間柱１４の上端部側面を切り欠いておき、その部分に補助梁２１を嵌め込むこととしてもよい。
【００６８】
あるいは、補助梁２１を幅方向一方側へスライド移動させることなく補助梁２１を固定してもよい。つまり、補助梁２１が既存梁１５の幅方向他方側にずれた位置（仮置き位置）が、補助梁２１の取付け位置（正規位置）であってもよい。このような場合であっても、既存梁支持具５の支持面５０が、既存梁１５の下面１５０に当接または対面するため、中間柱１４の上下端を切り離してから既存梁１５と補助梁２１とを一体的に連結するまでの間の作業を安全に行うことができる。
【００６９】
なお、上記実施の形態では、補助梁２１の両端部は、一対の既存柱１２，１３間に配置されることとしたが、既存梁１５の両端部に連結された一対の既存躯体部間に配置されていれば、既存柱１２，１３間でなくてもよい。この場合、各実施の形態において既存柱１２，１３に固定された部材は、一対の既存躯体部の対向面（内側面）に固定されていればよい。一対の既存躯体部は、互いに対向する対向面（内側面）を有しており、既存柱に加え、たとえば既存梁を含む。具体的には、たとえば上述の既存梁１６，１７が下方側に長い場合には、補助梁支持具３は、既存梁１６，１７に固定されてもよい。
【００７０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００７１】
３  補助梁支持具、５  既存梁支持具、１１  土台、１２，１３  既存柱、１４  中間柱（既存柱）、１５，１６，１７  既存梁、２１  補助梁、２２  側板、３１  水平板部、３２  垂直板部、５０  支持面、５１  第１の支持部材、５２  第２の支持部材、５３  補強部材、６１，６２  連結具、２１０ａ  切欠き部、３１１  正規位置、３１２  仮置き位置、５１１，５２２  水平部、５１２，５２１  垂直部、５１３  傾斜部、５２３  立上部、５３１，５３２  当接部、５３３  直交部。
【図１】
0005992390.tif 000002
【図２】
0005992390.tif 000003
【図３】
0005992390.tif 000004
【図４】
0005992390.tif 000005
【図５】
0005992390.tif 000006
【図６】
0005992390.tif 000007
【図７】
0005992390.tif 000008
【図８】
0005992390.tif 000009
【図９】
0005992390.tif 000010
【図１０】
0005992390.tif 000011
【図１１】
0005992390.tif 000012
【図１２】
0005992390.tif 000013
【図１３】
0005992390.tif 000014